(57)【特許請求の範囲】
【請求項１】
保持アーム（３０）と受容ケーシングとを有する保持アームシステムであって、保持アーム（３０）と受容ケーシングとがアダプタ（４０）とターニングナックル（２０）とを介して互いに結合されており、保持アーム（３０）とターニングナックル（２０）とアダプタ（４０）とが受容ケーシングの内室に開口するケーブル通路を形成しており、受容ケーシングがフレーム成形材（１１）から組み立てられたケーシングフレーム（１０）を有し、該ケーシングフレーム（１０）の裏面側が背壁（１５）で閉鎖されており、該ケーシングフレーム（１０）と結合されたアダプタ（４０）がターニングナックル（２０）のための結合区分（４９）を有し、該結合区分（４９）が裏面側でケーシングフレーム（１０）を超えて突出している形式のものにおいて、
ケーブル通路が第１のケーブル導通部（４６，１）を介して、受容ケーシングの内室にかつ第２のケーブル導通部（４６，２）を介して保持アーム（３０）のケーブル通路（３２）に角度を成して空間的に結合されており、第２のケーブル導通部（４６，２）がアダプタ（４０）の前記結合区分（４９）に設けられており、アダプタ（４０）のケーシング（４１）が両方のケーブル導通部（４６，１，４６，２）の間に、アダプタ（４０）のケーブル通路に開口しかつカバー（５４）で閉鎖可能な検査開口（４２）を有していることを特徴とする、保持アームシステム。
【請求項２】
アダプタ（４０）の結合区分（４９）が載置面を有し、該載置面にターニングナックル（２０）が連結されており、該載置面がケーシングの配属側に対し平行に配置されておりかつ連結されたフレーム成形材（１１）に接続している、請求項１記載の保持アームシステム。
【請求項３】
アダプタ（４０）の載置面が、配属されたケーシング側に対し平行に配置されたフレーム成形材（１１）の成形材面と同一平面内に位置している、請求項２記載の保持アームシステム。
【請求項４】
アダプタ（４０）が付加部（４７）で受容ケーシングの開放した裏面側内へ突入しており、アダプタ（４０）のケーブル通路が前記付加部（４７）を通って受容ケーシングへ開口しており、前記付加部（４７）がケーシングフレーム（１０）のシール区分に移行するシール区分（４４）を有しており、ケーシング裏面側を覆う背壁（１５）がケーシングフレーム（１０）に取付けられており、背壁（１５）が前記付加部（４７）の前記シール区分（４４）と背壁（１５）との間に配置されたシール（４５）に支えられている、請求項１から３までのいずれか１項記載の保持アームシステム。
【請求項５】
背壁（１５）が１つの背壁縁に向かって開いた切欠き（１８）を有し、該切欠き（１８）の縁が前記シール（４５）を介して前記付加部（４７）のシール区分（４４）に支えられており、アダプタ（４０）を取付けた状態で背壁（１５）が受容ケーシングから取外し可能である、請求項４記載の保持アームシステム。
【請求項６】
アダプタ（４０）が、受容ケーシングの内室へ突入しかつ配属されたフレーム成形材（１１）の内面に接続する支持部分（５２）を有しており、該支持部分（５２）が内側でフレーム成形材（１１）に結合されている、請求項１から５までのいずれか１項記載の保持アームシステム。
【請求項７】
ケーシングフレーム（１０）のフレーム成形材（１１）に固定溝（１１．６）が形成されており、該固定溝（１１．６）に、受容ケーシングの開いた裏面側をカバーする背壁（１５）が固定されており、前記アダプタ（４０）が前記固定溝（１１．６）を介しケーシングフレーム（１０）にねじ結合されている、請求項１から６までのいずれか１項記載の保持アームシステム。
【請求項８】
前記支持部分（５２）が前記アダプタ（４０）に解離可能に固定されている、請求項６記載の保持アームシステム。
【請求項９】
ケーシングフレーム（１０）のフレーム成形材（１１）が連続押出し成形材区分として構成されている、請求項１から８までのいずれか１項記載の保持アームシステム。
【発明の詳細な説明】
【０００１】
本発明は、保持アームと受容ケーシングとを有する保持アームシステムに関する。この場合、受容ケーシングにはアダプタを介しターニングナックルが接続されている。保持アーム、ターニングナックル及びアダプタは、受容ケーシングの内室へ開口するケーブル通路を形成している。
【０００２】
このような保持アームシステムはＤＥ４０３３７４７Ｃ２号明細書により公知である。保持アームシステムは、載置ナックルとして構成されたターニングナックルを介し受容ケーシングに連結された保持アームを有している。受容ケーシングは操作又は表示ケーシングとして構成されていることができる。ターニングナックルはアダプタを介しケーシングの水平な上側面に連結されている。取付けはねじ結合を介して行なわれる。これに応じて固定ねじはケーシングの上側面の貫通孔を通してアダプタに差込まれ、ターニングナックルへねじ込まれる。
【０００３】
このような配置では、ターニングナックルの取付けを達成するために、ケーシングの上側面は十分に大きな寸法を有していなければならない。ケーシングの前記上側面は肉薄の薄板として構成されている。受容ケーシングの内室に重い組込み対象物が固定されていると、ターニングナックルに対する安定した取付けのためには、付加的な補強装置を設け、ケーシング上側面とターニングナックルとの間のねじ結合部の裂断を阻止することが必要である。
【０００４】
本発明の課題は、ターニングナックルの安定した取付けが、受容ケーシングの深さ寸法が小さい場合にも可能である、冒頭に述べた形式の保持アームシステムを提供することである。
【０００５】
前記課題は、受容ケーシングがフレーム成形材から組み立てられたケーシングフレームを有し、該ケーシングフレームが裏面側にて、離別した背壁によって閉鎖されているか又は閉鎖可能であり、アダプタがフレーム成形材の少なくとも１つに結合されかつ裏面側にてフレーム成形材を越えて突出するターニングナックル用の結合区分を有していることによって解決された。
【０００６】
受容ケーシングは側部にて、フレーム成形材から組み立てられたケーシングフレームにより制限され、剛性でかつ安定したユニットを形成する。ターニングナックルはアダプタを介し直接前記ユニットに接続されることができる。アダプタ自体は、裏面側にて受容ケーシングから突出する結合区分を形成し、この結合区分にてターニングナックルの取付けが行なわれる。これによりターニングナックルの構成とは無関係にケーシング寸法は自由に選択可能になる。特にきわめて扁平に構成された受容ケーシングを実現することもできる。このような扁平な受容ケーシングは例えば扁平画像スクリーンを受容するために使用することができる。
【０００７】
ケーシングフレームの視覚的な印象は、ターニングナックルが連結される載置面をアダプタの結合区分が有し、載置面が配属ケーシング側に対し平行に配置されかつ連結されたフレーム成形材に接続していると妨げられることはない。
【０００８】
これはケーシングフレームがデザインエレメントとして構成されていると特に有利である。ケーシング側に対し平行に配置された載置面を介し、保持アームはその長さ方向に関し、該保持アームに配属された成形材側に対し垂直に配置されるように連結されることができる。
【０００９】
この場合には特にアダプタの載置面が、配属ケーシング側に対し平行に配置されたフレーム成形材の成形面と同一平面内に位置するようにすることができる。
【００１０】
アダプタを通してケーシングを秩序正しく案内するためには、アダプタがケーシングを有し、該ケーシング内にケーブル通路が設けられており、ケーブル通路が第１のケーブル導通部を介して受容ケーシングの内室と空間的に結合されており、第２のケーブル導通部を介して、保持アームにより形成されたケーブル通路に空間的に接続されており、第２のケーブル導通部がアダプタの、ケーシング裏面側を越えて突出する結合区分に設けられており、アダプタのケーシングが両方のケーブル導通部の間に検査開口を有しており、この検査開口がアダプタのケーブル通路へ開口しかつカバーで閉鎖可能に構成されている。
【００１１】
検査開口は、両方のケーブル導通部が互いに角度を成して配置されていることで、ケーブル通路を通してケーブルを導くことを容易する。
【００１２】
受容ケーシングに可能な１つの構成では、アダプタが付加部で受容ケーシングの開いた裏面側へ突入し、アダプタのケーブル通路が付加部を通って受容ケーシング内へ開口し、付加部がシール区分を有し、このシール区分がケーシングフレームのシール区分へ移行しており、ケーシング裏面側を覆う背壁がケーシングフレームに取付けられており、背壁がシール区分と背壁との間に配置されたシールに支えられている。
【００１３】
この場合には、背壁が１つの背壁縁に向かって開いた切欠きを有し、切欠きの縁がシールを介して付加部のシール区分に支えられており、アダプタにおける操作を行なう必要なしに受容ケーシングにおいて背壁が取り外され得るようになっている。
【００１４】
受容ケーシングにおける保持アームの安定的な取付けは、付加的にアダプタが支持部分を有し、該支持部分が受容ケーシングの内室へ突入し、フレーム成形材の配属内面に接触し、支持部分が内側でフレーム成形材に結合されていることで改善される。
【００１５】
この場合には、支持部分はアダプタに解離可能に固定されていることができる。これによってアダプタがベース部分を形成する組木ブロックシステムが得られる。このベース部分には種々異なる形状の支持部分が取付けられることができる。この場合、支持部分は種々異なるタイプの受容ケーシングに合わせて構成されていることができる。
【００１６】
さらに受容ケーシングに対するアダプタの安定した取付けは、ケーシングフレームのフレーム成形材に固定溝が形成され、この固定溝に、受容ケーシングの開いた裏面側を覆う背壁が固定されており、アダプタが固定溝を介してケーシングにねじ結合されていることでも達成される。
【００１７】
以下、図面に示した実施例に基づき本発明を詳細に説明する。
【００１８】
図１には中空成形区分として構成された保持アーム３０が示されている。保持アーム３０は連続押出し成形材として製作され、成形材長手方向に延びるねじ通路３１を有している。保持アーム３０内にはケーブル通路３２が形成されている。保持アーム３０はその下端にてターニングナックル２０に連結されている。ターニングナックル２０は２つのナックル部分２０．１と２０．２とを有している。両方のナックル部分２０．１と２０．２は鉛直方向の回転軸線を中心として相対回動させることができる。上方のナックル部分２０．１を保持アーム３０に取付けることは、保持アーム３０のねじ通路３１にねじ込まれる固定ねじで行なわれる。第２のナックル部分２０．２は連結片２０．３を介してアダプタ４０と結合されている。
【００１９】
アダプタ４０の構成の詳細は、図２に示されている。図２が示すように、アダプタ４０はケーシング４１を有している。このケーシング４１をケーブル通路が貫通しており、ケーブル通路はターニングナックル２０を介して保持アーム３０のケーブル通路と空間的に結合されている。したがってケーブルは保持アーム３０から上方のケーブル導通部４６．２を介してアダプタ４０のケーブル通路へ導入され、下にある第２のケーブル導通部４６．１を介して受容室の内室へ導入される。受容ケーシングの構成については後で詳しく説明する。
【００２０】
ケーブル通路は側方から検査開口４２を介してアクセス可能である。この検査開口４２はカバー５４で閉鎖されることができる。カバー５４をケーシング４１にて位置決めするためにはセンタリング段部４３が設けられている。図１から判るようにカバー５４はケーシング４１にねじで結合することができる。ターニングナックル２０をアダプタ４０に連結するためには結合区分４９が用いられている。この結合区分４９は平らな支持面を形成し、この支持面の上にはターニングナックル２０の連結片２０．３が載置される。結合区分４９にはねじ受容部５０が形成されている。このねじ受容部５０には固定ねじが通され、連結片２０．３の対応するねじ山受容部にねじ込まれる。
【００２１】
アダプタ４０は受容ケーシングにねじ結合される。受容ケーシングは垂直及び水平なフレーム成形材１１から組み立てられているケーシングフレーム１０を有している。フレーム成形材１１はケーシングフレーム１０のコーナ領域にてコーナ継手によって結合されている。ケーシングフレームはフロント開口１４を形成しており、このフロント開口１４はカバープレート１５で閉鎖されることができる。カバープレート１５には操作部材又は表示装置を挿入することができる。さらに唯一の扁平画像スクリーンをカバープレートに組込むことも考えられる。前方のカバープレートもしくは扁平画像スクリーンを固定するためには、ケーシング前面に対しへこまされたフロント壁受容部１１．２が個々のフレーム成形材１１に形成されている。フロント壁受容部１１．２に近隣してねじ及び／又は係止通路１１．３が配置されている。このねじ及び／又は係止通路１１．３にフロント壁もしくは扁平画像スクリーンが固定されることができる。フレーム成形材は連続押出し成形材として構成され、中空室１１．１を取囲んでいる。中空室１１．１の領域にはねじ通路１１．５が設けられている。受容室の内室へ組込み対象物を取付けるためには固定溝１１．４が使用される。フレーム成形材の裏面には別の固定溝１１．６が設けられている。この裏面側の固定溝１１．６にはケージナットが挿入されていることができる。このケージナットはアダプタ４０を取付けるために役立つ。アダプタは付加部４７で、上方の水平方向のフレーム成形材１１の支持区分１１．８に載置される。付加部４７は単数又は複数のねじ受容部４８を有している。このねじ受容部４８を通して固定ねじ５１が差込まれ、固定溝１１．６内に保持されたケージナット内へねじ込まれる。
【００２２】
図２から判るように付加部４７には支持部分５２が連結されている。支持部分５２は受容ケーシングの内室へ突入している。支持部分５２は水平なフレーム成形材１１を下で支え、フレーム成形材１１の成形材内面１１．７に接触している。支持部分５２には固定受容部５３が設けられている。この固定受容部５３を通して固定ねじ５１が差込まれ、フレーム成形材１１のねじ通路１１．５へねじ込まれる。
【００２３】
図１から詳しく判るようにアダプタ４０はその付加部４７の範囲に外へ向いたシール区分４４を有している。このシール区分４４は上方の水平なフレーム成形材１１のシール区分１１．９に一平面を成して移行している。アダプタ４０のシール区分４４とフレーム成形材１１のシール区分１１．９の上には循環するシール４５が発泡成形されている。図１から判るようにこのシール４５には背壁１５がシールされて載せられることができる。背壁１５はヒンジ１６を介して下方の水平なフレーム成形材１１に連結される。ヒンジ１６は水平な旋回軸を形成し、この旋回軸を介し背壁１５は下方へ開放旋回させられることができる。背壁１５はヒンジ１６とは反対側に切欠き１８を有し、この切欠き１８の縁は、アダプタ４０のシール区分４４に配属されたシール４５のシール区分に支えられる。
【００２４】
切欠き１８の寸法は、アダプタ４０が取付けられた状態で背壁１５が開閉旋回させられ得るように設定されている。背壁の閉じられた位置で背壁は錠１７で確保されることができる。錠１７は受容ケーシングの内室に向いた、シール区分１１．９の後ろへ滑動する掛け金を有している。ヒンジ１６で結合された背壁１５の代りにカバーとして構成された背壁１５を使用することもできる。この背壁１５はフレーム成形材１１の固定溝１１．６にケージナットを用いてねじ結合されていることができる。
【図面の簡単な説明】
【図１】  保持アーム、ターニングナックル及び受容ケーシングを有する保持アームシステムを背面側から見た斜視図。
【図２】  図１の保持アームシステムを部分的に断面した側面図。
【図３】  図１の保持アームシステムを背壁が閉じられた状態で示した、図１に相当する斜視図。
【符号の説明】
１０  ケーシングフレーム
１１  フレーム成形材
１３  コーナ継手
１４  フロント開口
１５  背壁
１６  ヒンジ
１７  錠
１８  切欠き
２０  ターニングナックル
３０  保持アーム
３１  ねじ通路
３２  ケーブル通路
４０  アダプタ
４１  ケーシング
４２  検査開口
４３  センタリング段部
４４  シール区分
４５  シール
４７  付加部
４８  ねじ受容部
４９  結合区分
５０  ねじ受容部
５１  固定ねじ
５２  支持部分
５３  固定受容部
５４  カバー
【図１】
0003701607.tif 000002
【図２】
0003701607.tif 000003
【図３】
0003701607.tif 000004